(57)【特許請求の範囲】
【請求項１】
被施錠箱体の蓋板に装着されるダイアル錠のダイアル機構の内側に一体的に結合され、ラッチ収納スリットおよびばね収納洞を連設したホルダと、このホルダのラッチ収納スリットに収納、案内され、ばね収納洞内のラッチばねの弾力により、頭部がホルダ外に突出する方向及び前方に回動する方向に付勢されたラッチとを有し、このラッチおよびホルダの何れか一方にダイアルの回動軸に垂直な案内スリットを形成し、他方にこの案内スリット中で回動できるガイドピンを設け、これら案内スリットおよびガイドピンを摺動可能に係合させて、施錠時ラッチ頭部の前方を被施錠箱体の内壁に突設された係止片に内方から係合させるようにしたものにおいて、ラッチの頭部に緩衝片を一体に結合してラッチの全体の形状を刃先を後方に向けた鎌状に成形すると共に、緩衝片の外端縁を円弧状に形成し、ダイアル錠を解錠して蓋板を開けるときのラッチの復元方向への急激な回動が有する運動量を、緩衝片の外端縁と係止片との摺接から生じる摩擦によって消費することにより緩衝するようにしたことを特徴とする消音ラッチ機構。
【請求項２】
上記緩衝片を合成樹脂材料で被覆したことを特徴とする請求項１記載の消音ラッチ機構。
【発明の詳細な説明】
【０００１】
【発明の属する技術分野】
この発明は、通常文字合せ錠と称されるダイアル錠の消音ラッチ機構（以下単に消音ラッチ機構という）に係り、特に、解錠時ラッチが復元する際の衝撃音を大幅に緩和できると共に、作動の安定性を長期間にわたって期待できる消音ラッチ機構に関する。
【０００２】
【従来の技術】
ダイアル錠は、例えば、マンションや公団住宅等のエントランスホールに設置されている郵便受けの蓋に設けられる。
【０００３】
そして、ダイアル錠のラッチ機構は、その構造の特質上、解錠して郵便受けの蓋板を開けるとき、自由になったラッチはラッチばねの弾力によって急激に復元方向に回動し、ダイアル錠の他の構成部材に激突して大きな衝撃音が発生する。
【０００４】
この衝撃音は、例えばアパートなどにおいては、郵便受けや上下、左右に積層された他の郵便受け、あるいは玄関ホールなどに共鳴して、夜中には郵便受けを開けるのが気が引ける程の大音響になる、という不都合がある。
【０００５】
そこで、本出願人は、特許第３１３９６２９号を以て、ダイアル錠の衝撃音を大幅に緩和できる新規なダイアル錠の消音装置を提案し、かつ実用されている。
【０００６】
この消音装置は、例えば図１及び図２に示すように、図示しないダイアル機構の内側に一体的に結合されたホルダ１の、ラッチ収納スリット２及びばね収納洞３間の隔壁４に緩衝体５を埋設し、この緩衝体５の一端（図で左端）をラッチ収納スリット２内に突出させ、ラッチ６の一部に当接可能に臨ませたものである。
【０００７】
上記のように構成された消音装置を装着したダイアル錠におけるラッチ機構は、ラッチ６及びホルダ１の何れか一方（図示の実施例ではラッチ６）に案内スリット７を形成し、他方にこの案内スリット７中で回動できるガイドピン８を設けてある。
【０００８】
そして、ラッチ６は、ばね収納洞３に弾装された例えば圧縮コイルばねとしてのラッチばね９の弾力により、図１で上方及び反時計方向に付勢されている。
【０００９】
一方、上記した消音装置を装着したダイアル錠１１は、図３に示すように、例えば郵便受け１２の蓋板１３の自由側端縁付近に装着され、蓋板１３を閉めるときには、ラッチ６の傾斜縁６ａ（図１参照）が郵便受け１２内の係止片１４に当接し、これらの間に生じる楔作用により図１で下方（図３で右方）に移動するので、ダイアル機構の施錠状態、解錠状態の如何に拘らずラッチ６が係止片１４を乗り越えて、図３に示すようにダイアル錠１２は蓋板１３を係止片１４に錠止する。
【００１０】
一方、蓋板１３を開けるときには、摘み１５（図３参照）を操作して、ダイアル機構の外筒１６に形成された外側切欠１７と、内筒１８に形成された内側切欠１９とをラッチ６に整合させる。
【００１１】
この状態で摘み１５を挽いて蓋板１３を開けると、図４において点線で示すラッチ６の上端部を係止片１４が相対的に右方に押動する結果、ラッチ６はガイドピン８を中心にして実線で示すように時計方向に回動する。
【００１２】
更に蓋板１３を開けると、係止片１４とラッチ６との係合が解けるので、自由になったラッチ６はラッチばね９の弾力により勢いよく半時計方向に回動し、ラッチの両端が外ケース２１や前記隔壁４（図１参照）に激突するが、本出願人が先に提案した前記ダイアル錠の消音装置は、例えば図１に示すようにラッチ６が衝突する隔壁部分に例えば弾性体等の緩衝体５が設けられているので、ラッチ６は隔壁４に激突する前にこの緩衝体５に衝突し、そのため衝撃及び衝撃音が大幅に緩和される。
【００１３】
【発明が解決しようとする課題】
しかしながら、本出願人が先に提案し図１に例示したダイアル錠の消音装置は、緩衝体５の太さが高々ラッチ６の厚さ程度であって緩衝体５を大きくすることができないので、長期間の使用により緩衝体が過大な応力を受けて潰れる可能性を否定できず、この点において改善の余地がある。
【００１４】
そこで、この発明は、解錠時ラッチが復元する際の衝撃音を大幅に緩和できると共に、作動の安定性を長期間にわたって期待できる消音ラッチ機構を提供することを目的としている。
【００１５】
【課題を解決するための手段】
上記の目的を達成するため、請求項１に記載の発明は、被施錠箱体の蓋板に装着されるダイアル錠のダイアル機構の内側に一体的に結合され、ラッチ収納スリットおよびばね収納洞を連設したホルダと、このホルダのラッチ収納スリットに収納、案内され、ばね収納洞内のラッチばねの弾力により、頭部がホルダ外に突出する方向及び前方に回動する方向に付勢されたラッチとを有し、このラッチおよびホルダの何れか一方にダイアルの回動軸に垂直な案内スリットを形成し、他方にこの案内スリット中で回動できるガイドピンを設け、これら案内スリットおよびガイドピンを摺動可能に係合させて、施錠時ラッチ頭部の前方を被施錠箱体の内壁に突設された係止片に内方から係合させるようにしたものにおいて、ラッチの頭部に緩衝片を一体に結合してラッチの全体の形状を刃先を後方に向けた鎌状に成形すると共に、緩衝片の外端縁を円弧状に形成し、ダイアル錠を解錠して蓋板を開けるときのラッチの復元方向への急激な回動が有する運動量を、緩衝片の外端縁と係止片との摺接から生じる摩擦によって消費することにより緩衝するようにしたことを特徴とする。
【００１６】
また、請求項２に記載の発明は、上記緩衝片を合成樹脂材料で被覆したことを特徴とする。
【００１７】
【実施例】
以下この発明の実施例を図５乃至図９を参照して説明する。
図５において符号２２は本発明による消音ラッチ機構を装着したダイアル錠の全体を示し、このダイアル錠２２は、そのダイアル機構２３を外側にして、郵便受け１２の蓋板１３の自由側端縁付近に装着されているのは従来のダイアル錠と同様である。
【００１８】
このダイアル錠２２のラッチ収納スリット２には、板状体のラッチ６の本体部２４がその長さ方向（図５で左右方向）に移動可能に収納されている。
【００１９】
図５においては、この本体部２４は全体として弓形に湾曲するように成形されているが、この本体部の形状はこの発明の必須の構成ではない。
【００２０】
また、図５に示す実施例では、図１及び図２に示すものと異なり、本体部２４の中央部を板厚方向に貫通するようにしてガイドピン８が装着されており、このガイドピン８の本体部２４の表面から突出した部分がラッチ収納スリット２に形成された案内スリット７に摺動可能に係合している。
【００２１】
一方、ラッチ収納スリット２より内側のばね収納洞３内に弾装されたラッチばねの弾力により、ラッチ６はホルダ１外に突出する方向、即ち図５で左方に付勢されている。なお、図６乃至図９ではラッチばねの図示を省略する。
【００２２】
また、ラッチの本体部に突設されたばね掛け片２５（図６参照）がガイドピン８より内方に位置しているので、ラッチ６は図５でガイドピン８の回りを反時計方向、すなわち頭部が前方（図５で下方）に回動する方向に付勢されている。
【００２３】
他方、ラッチの頭部、換言すればラッチ本体の外端部には、例えばラッチ本体が延伸した態様で、緩衝片２６が一体に形成されている。
【００２４】
図示の実施例における緩衝片２６は、例えばメニスカスレンズの断面のような形状で、その凸部を外側にし、かつラッチの本体部２４と直角に近い鋭角で交差する位置関係で、本体部２４に一体に結合されている。
【００２５】
また、この緩衝片２６の外端縁は円弧状に形成されており、図示の実施例では、この外端縁はガイドピン８の中心より後方にある点Ｏ（図７参照）を中心とする円の一部である。
【００２６】
したがって、この緩衝片２６の外端縁の後端部（図７で上端部）は、ガイドピン８を中心とする円弧と比較して外方（図７で左方）に湾曲する形状である。
【００２７】
この発明によるラッチ機構におけるラッチの全体の形状は、緩衝片２６が上記したように形成されているので、本体部２４を柄とし、刃先を後方に向けた鎌状に成形されることになる。
【００２８】
なお、図示の実施例では緩衝片２６は合成樹脂材料２７で被覆されているが、その存在理由については後に説明する。
【００２９】
上記のように構成されたこの発明の一実施例による消音ラッチ機構は、蓋板１３を閉めるとき、図５に示すように、郵便受け１２の係止片１４が先ず緩衝片２６の外端縁後端部（先端部）に当接する。
【００３０】
すると、係止片１４から見て緩衝片２６の外端縁は傾斜しているので、蓋板１３の閉止方向への回動により、ラッチ６は図５で反時計方向に押動されると共に、係止片１４と緩衝片２６との係合によって生じる楔作用により、ラッチ６はラッチ収納スリット２内で内方、すなわち図５で右方に押動される。
【００３１】
したがって、ダイアル機構２３が施錠されていても、或いは解錠されていても、図６に示すように、ラッチ６はダイアルの回動軸に垂直な方向で内方（図６で右方）に移動する。
【００３２】
そして、蓋板１３が完全に閉り、係止片１４が緩衝片２６の前端部を乗り越えると、図７に示すように、ラッチばね９（図５参照）の弾力によりラッチ６は外方に突出し、緩衝片２６の前端が係止片１４の後側に入り込み、ダイアル錠は施錠状態となる。
【００３３】
上記したラッチ６と係止片１４との係合の態様は、従来のラッチ機構（図１参照）のそれと同様である。
【００３４】
本発明による消音ラッチ機構の作動の特徴は、ダイアル錠を解錠後蓋板１３を開けるときにある。
【００３５】
すなわち、ダイアル錠を解錠すると、前記したように（図４参照）、外側及び内側切欠１７、１９及びラッチの本体部２４が整合する結果、蓋板１３の開放方向への回動に伴うラッチ６と係止片１４との相互作用により、図８に示すように、ラッチ６はラッチばね９の弾力に抗して時計方向に回動する。
【００３６】
そして、緩衝片２６の前端が係止片１４を乗り越えた途端、係止片１４から解放されて自由になったラッチ６は、ラッチばね９（図５参照）の弾力により、外方に突出すると共に図８で反時計方向に回動する。
【００３７】
人の手で動かされる蓋板１３の回動速度に対し、質量の小さなラッチ６の動きは充分に早いから、図９に示すように、蓋板１３の回動に伴いラッチ６（緩衝片２６）の外端縁は必ず係止片１４に当接し、かつこれに摺接して図５に示す角度位置に戻る。
【００３８】
このとき、ラッチ６の運動量は係止片１４と緩衝片１４の外端縁との摩擦によって消費されるから、ラッチの本体部２４が隔壁４（図１参照）に衝突するときの速度は大幅に減少し、したがって衝突音は極く僅かのものになる。
【００３９】
緩衝片２６が合成樹脂材料２７で被覆されていると、係止片１４との摩擦係数が大きくなるから、ラッチ６の減速の度合いも大きくなって消音効果が増大するが、合成樹脂材料を省略して例えば金属同志の摺接による場合でも、この発明による消音ラッチ機構は充分にその消音効果を発揮する。
【００４０】
【発明の効果】
以上の説明から明らかなように、この発明は、ラッチの頭部に緩衝片を一体に結合してラッチの全体の形状を刃先を後方に向けた鎌状に成形すると共に、緩衝片の外端縁を円弧状に形成したので、蓋板を開けるとき必ず緩衝片の外端縁が係止片と摺接し、この摺接による摩擦によってラッチが減速されて衝突音が大幅に緩和される、という所期の効果を奏する。
【００４１】
また、緩衝片の外端縁を長くすることにより摺接の期間を長くすることができるので、消音効果を自由に調節できる。
【００４２】
更にまた、緩衝体の弾性変形ではなく緩衝片と係止片との摩擦によって消音するので、長期間の使用による緩衝片の損傷は考えにくく、したがって作動の安定性を長期間にわたって期待できる、等種々の効果を奏する。
【図面の簡単な説明】
【図１】従来のダイアル錠の消音装置の一例を示す断面図。
【図２】図１に示す消音装置の底面図。
【図３】ダイアル錠の装着例を示す一部断面平面図。
【図４】解錠時におけるラッチとダイアル機構との関係を示す一部断面図。
【図５】請求項１に記載の発明の一実施例による消音ラッチ機構の作動を説明するための線図的一部断面図で、ダイアル錠の施錠開始状態を示す。
【図６】図５と同様に線図的一部断面図で、施錠途中の状態を示す。
【図７】図５と同様に線図的一部断面図で、施錠を完了した状態を示す。
【図８】図５と同様に線図的一部断面図で、ダイアル錠の解錠後蓋板を開き、緩衝片の前端と係止片との係合が解ける状態を示す。
【図９】図５と同様に線図的一部断面図で、緩衝片の外端縁と係止片との係合の経時的態様を一の図に重合して示す。
【符号の説明】
１  ホルダ
２  ラッチ収納スリット
３  ばね収納洞
４  隔壁
６  ラッチ
７  案内スリット
８  ガイドピン
９  ラッチばね
１４  係止片
２４  本体部
２６  緩衝片
２７  合成樹脂材料
【図１】
0003950643.tif 000002
【図２】
0003950643.tif 000003
【図３】
0003950643.tif 000004
【図４】
0003950643.tif 000005
【図５】
0003950643.tif 000006
【図６】
0003950643.tif 000007
【図７】
0003950643.tif 000008
【図８】
0003950643.tif 000009
【図９】
0003950643.tif 000010